(57)【要約】【課題】  作業効率が高く、充分な洗浄効果が得られるフィルター洗浄装置を提供すること。【解決手段】  筒状のフィルターを載置するための載置部と、上記フィルターの外周面にクリーニング材を噴射する噴射部と、を備え、上記噴射部は、上記フィルターの長手方向から見た平面視において、上記フィルターの外周面を囲むように環状に配置された複数の噴射孔を有し、上記複数の噴射孔は、それぞれ、上記平面視において、扇状に上記クリーニング材を噴射し、かつ、上記複数の噴射孔のうち、第１の噴射孔は、上記長手方向に垂直な面に対して第１の角度で上記クリーニング材を噴射し、上記第１の噴射孔に隣り合う第２の噴射孔は、上記長手方向に垂直な面に対して上記第１の角度とは異なる第２の角度で上記クリーニング材を噴射することを特徴とするフィルター洗浄装置。【選択図】  図１
2019034270.tif 000002
【特許請求の範囲】
【請求項１】
筒状のフィルターを載置するための載置部と、
前記フィルターの外周面にクリーニング材を噴射する噴射部と、を備え、
前記噴射部は、前記フィルターの長手方向から見た平面視において、前記フィルターの外周面を囲むように環状に配置された複数の噴射孔を有し、
前記複数の噴射孔は、それぞれ、前記平面視において、扇状に前記クリーニング材を噴射し、かつ、
前記複数の噴射孔のうち、第１の噴射孔は、前記長手方向に垂直な面に対して第１の角度で前記クリーニング材を噴射し、前記第１の噴射孔に隣り合う第２の噴射孔は、前記長手方向に垂直な面に対して前記第１の角度とは異なる第２の角度で前記クリーニング材を噴射することを特徴とするフィルター洗浄装置。
【請求項２】
前記複数の噴射孔のうち、前記第１の噴射孔と反対側で前記第２の噴射孔に隣り合う第３の噴射孔は、前記第１の角度で前記クリーニング材を噴射し、前記第２の噴射孔と反対側で前記第３の噴射孔に隣り合う第４の噴射孔は、前記第２の角度で前記クリーニング材を噴射する請求項１に記載のフィルター洗浄装置。
【請求項３】
前記第１の角度は、０〜２度であり、
前記第２の角度は、３〜４５度である請求項１又は２に記載のフィルター洗浄装置。
【請求項４】
前記噴射部は、環状パイプを有し、
前記フィルターの外周面と対向する前記環状パイプの内周面には、前記噴射孔をそれぞれ有する複数の噴射ノズルが設けられている請求項１〜３のいずれか１項に記載のフィルター洗浄装置。
【請求項５】
前記クリーニング材は、水又は洗浄液である請求項１〜４のいずれか１項に記載のフィルター洗浄装置。
【請求項６】
前記載置部及び前記噴射部を収納する洗浄室をさらに備え、
前記洗浄室内に収納された前記フィルターの外周面に前記クリーニング材が噴射される請求項１〜５のいずれか１項に記載のフィルター洗浄装置。
【請求項７】
前記噴射部を前記長手方向に移動可能な移動機構をさらに備える請求項１〜６のいずれか１項に記載のフィルター洗浄装置。
【請求項８】
前記載置部は、前記フィルターの長手方向の端部を押圧して前記フィルターを固定する手段を有する請求項１〜７のいずれか１項に記載のフィルター洗浄装置。
【請求項９】
前記フィルターは、外周面にノッチワイヤーが巻き付けられたノッチワイヤーフィルターである請求項１〜８のいずれか１項に記載のフィルター洗浄装置。
【請求項１０】
筒状のフィルターを載置するための載置部と、
前記フィルターの外周面にクリーニング材を噴射する噴射部と、を備え、
前記噴射部は、前記フィルターの長手方向から見た平面視において、前記フィルターの外周面を囲むように環状に配置された複数の噴射孔を有し、
前記複数の噴射孔は、それぞれ、前記平面視において、扇状に前記クリーニング材を噴射し、かつ、
前記複数の噴射孔のうち、第１の噴射孔は、前記長手方向において、前記フィルターの外周面の第１の位置に前記クリーニング材を噴射し、前記第１の噴射孔に隣り合う第２の噴射孔は、前記長手方向において、前記第１の位置とは異なる前記フィルターの外周面の第２の位置に前記クリーニング材を噴射することを特徴とするフィルター洗浄装置。
【発明の詳細な説明】
【技術分野】
【０００１】
本発明は、フィルター洗浄装置に関する。
【背景技術】
【０００２】
液体製品等の製造時において、原材料の加工段階等で生じる不溶性の固形物は、製造効率を低下させる。また、製造工程中に混入する異物は、製品の品質低下を招く。
【０００３】
上記の問題を解決するために、フィルター（エレメントとも呼ばれる）が用いられることがある。この種のフィルターとしては、筒状のフィルターが知られており、例えば、円筒状のノッチワイヤーフィルター、複数積層した金網を焼結して保形性を高め円筒状に成形した焼結メッシュフィルター及びウェッジワイヤーフィルターエレメント等が挙げられる。
【０００４】
このフィルターは、製造過程で生成又は混入する不溶性の固形物や異物（以下、まとめて「異物等」という）を付着させて除去するものであるため、一度使用すると、付着した異物等の影響を受けて除去能力が低下したり、製品の製造効率が低下したりするおそれがある。
【０００５】
そのため、製造工程に影響を与えることなく、一定の除去能力を継続的に維持するためには、フィルターを使用した後に充分に洗浄する必要がある。従来、フィルターを洗浄する方法としては、フィルターを手で支えた状態で、水等をフィルターの外周面に吹き付けることによって洗浄する方法の他、特許文献１等に記載された洗浄装置を用いて洗浄する方法等が知られていた。
【先行技術文献】
【特許文献】
【０００６】
【特許文献１】特開平６−２６２０１５号公報
【発明の概要】
【発明が解決しようとする課題】
【０００７】
しかし、手作業によってフィルターを洗浄する方法では、作業効率が低いことに加えて、作業者の熟練度による洗浄効果のばらつきがあった。さらに、フィルターの形状や濾材の網目構造の大きさによっては、時間をかけても充分に洗浄することが困難であった。
【０００８】
また、洗浄装置を用いた方法では、手作業による方法に比べて作業効率を向上させることができるものの、洗浄効果が充分であるとは言えなかった。
【０００９】
本発明は、上記の問題を解決するためになされたものであり、作業効率が高く、充分な洗浄効果が得られるフィルター洗浄装置を提供することを目的とする。
【課題を解決するための手段】
【００１０】
本発明は、筒状のフィルターを載置するための載置部と、上記フィルターの外周面にクリーニング材を噴射する噴射部と、を備え、上記噴射部は、上記フィルターの長手方向から見た平面視において、上記フィルターの外周面を囲むように環状に配置された複数の噴射孔を有し、上記複数の噴射孔は、それぞれ、上記平面視において、扇状に上記クリーニング材を噴射し、かつ、上記複数の噴射孔のうち、第１の噴射孔は、上記長手方向に垂直な面に対して第１の角度で上記クリーニング材を噴射し、上記第１の噴射孔に隣り合う第２の噴射孔は、上記長手方向に垂直な面に対して上記第１の角度とは異なる第２の角度で上記クリーニング材を噴射することを特徴とするフィルター洗浄装置；筒状のフィルターを載置するための載置部と、上記フィルターの外周面にクリーニング材を噴射する噴射部と、を備え、上記噴射部は、上記フィルターの長手方向から見た平面視において、上記フィルターの外周面を囲むように環状に配置された複数の噴射孔を有し、上記複数の噴射孔は、それぞれ、上記平面視において、扇状に上記クリーニング材を噴射し、かつ、上記複数の噴射孔のうち、第１の噴射孔は、上記長手方向において、上記フィルターの外周面の第１の位置に上記クリーニング材を噴射し、上記第１の噴射孔に隣り合う第２の噴射孔は、上記長手方向において、上記第１の位置とは異なる上記フィルターの外周面の第２の位置に上記クリーニング材を噴射することを特徴とするフィルター洗浄装置である。
【発明の効果】
【００１１】
本発明によれば、それぞれの噴射孔が、フィルターの長手方向から見た平面視において、扇状にクリーニング材を噴射し、かつ、隣り合う噴射孔が、フィルターの長手方向に垂直な面に対して異なる角度でクリーニング材を噴射するように構成された洗浄装置を用いることにより、効率良くフィルターを洗浄することができ、かつ、充分な洗浄効果を得ることができる。
【図面の簡単な説明】
【００１２】
【図１】図１は、本発明の第１実施形態に係るフィルター洗浄装置の一例を模式的に示す斜視図である。
【図２】図２は、図１に示すフィルター洗浄装置の特徴部分を模式的に示す斜視図である。
【図３】図３は、噴射部の一部を拡大した斜視図である。
【図４】図４は、フィルターの外周面にクリーニング材が噴射される状態を模式的に示す平面図である。
【図５】図５（ａ）は、第１の噴射孔からクリーニング材が噴射される状態を模式的に示す側面図であり、図５（ｂ）は、第２の噴射孔からクリーニング材が噴射される状態を模式的に示す側面図である。
【図６】図６（ａ）は、ノッチワイヤーフィルターの一例を模式的に示す斜視図であり、図６（ｂ）は、図６（ａ）に示すノッチワイヤーフィルターの分解斜視図である。
【発明を実施するための形態】
【００１３】
以下、本発明のフィルター洗浄装置について具体的に説明する。
しかしながら、本発明は、以下の実施形態に限定されるものではなく、本発明の要旨を変更しない範囲において適宜変更して適用することができる。なお、以下に記載する個々の実施形態の望ましい構成を２つ以上組み合わせたものもまた本発明である。
【００１４】
以下に示す各実施形態は例示であり、異なる実施形態で示した構成の部分的な置換又は組み合わせが可能である。第２実施形態以降では、第１実施形態と共通の事項についての記述は省略し、異なる点についてのみ説明する。なお、各実施形態を特に区別しない場合、単に「本発明のフィルター洗浄装置」という。
【００１５】
［第１実施形態］
図１は、本発明の第１実施形態に係るフィルター洗浄装置の一例を模式的に示す斜視図である。図１には、フィルターが載置された状態が示されている。図２は、図１に示すフィルター洗浄装置の特徴部分を模式的に示す斜視図である。
【００１６】
図１及び図２に示すフィルター洗浄装置１は、筒状のフィルターＦを載置するための載置部１０と、フィルターＦの外周面にクリーニング材Ｃ（図４参照）を噴射する噴射部２０（図２参照）と、を備えている。
【００１７】
フィルター洗浄装置１は、噴射部２０をフィルターＦの長手方向（図１及び図２では上下方向）に移動可能な移動機構３０を備えている。クリーニング材を噴射する噴射部２０がフィルターＦの長手方向に移動することによって、フィルターＦの外周面を均一に洗浄することができる。
【００１８】
図１に示すように、フィルター洗浄装置１は、さらに、載置部１０及び噴射部２０を収納する洗浄室４０を備えている。洗浄室４０の正面には扉４１が設けられている。したがって、洗浄室４０内に収納されたフィルターＦの外周面にクリーニング材が噴射される。
【００１９】
また、フィルター洗浄装置１は、洗浄室４０の外側に油分離槽５０を備えている。フィルターＦを洗浄した後のクリーニング材が油分離槽５０に入ると、比重の違いによって油分が分離されるため、環境負荷の低い排水を排出することができる。
【００２０】
その他、フィルター洗浄装置１は、図示しない高圧ポンプ、コントロールボックス等を備えている。
【００２１】
図２に示すように、載置部１０は、その下部に載置台１１を有している。フィルターＦは、載置台１１上に載置されて保持される。フィルターＦは、縦向き、すなわち、フィルターＦの長手方向が鉛直方向と平行になるように載置される。
【００２２】
さらに、載置部１０は、その上部に押圧板１２を有している。押圧板１２は、その上部に設けられた操作棒１３によって操作され、フィルターＦの長手方向の端部を押圧してフィルターＦを固定する。したがって、フィルターＦの長手方向のばたつき（揺れ）を抑制することができる。ただし、押圧板１２によって押圧されたフィルターＦは、多少回転してもよい。なお、フィルターの端部を押圧することができる限り、フィルターを固定する手段は、押圧板に限定されない。
【００２３】
図３は、噴射部の一部を拡大した斜視図である。
噴射部２０は、複数の噴射孔２１（２１ａ、２１ｂ、２１ｃ及び２１ｄ）を有している。フィルター洗浄装置１では、噴射部２０は、１本の環状パイプ２２を有し、フィルターの外周面と対向する環状パイプ２２の内周面には、噴射孔２１をそれぞれ有する複数の噴射ノズル２３が設けられている。
【００２４】
図４は、フィルターの外周面にクリーニング材が噴射される状態を模式的に示す平面図である。
図４に示すように、フィルターＦの長手方向（図４では紙面に対して垂直な方向）から見た平面視において、複数の噴射孔２１は、フィルターＦの外周面を囲むように環状に配置されており、それぞれ、扇状にクリーニング材Ｃを噴射する。
【００２５】
図５（ａ）は、第１の噴射孔からクリーニング材が噴射される状態を模式的に示す側面図であり、図５（ｂ）は、第２の噴射孔からクリーニング材が噴射される状態を模式的に示す側面図である。
図３に示す複数の噴射孔２１のうち、第１の噴射孔２１ａは、フィルターの長手方向に垂直な面に対して第１の角度α（図５（ａ）参照）でクリーニング材Ｃを噴射する。一方、複数の噴射孔２１のうち、第１の噴射孔２１ａに隣り合う第２の噴射孔２１ｂは、フィルターの長手方向に垂直な面に対して第１の角度αとは異なる第２の角度β（図５（ｂ）参照）でクリーニング材Ｃを噴射する。
【００２６】
また、図３に示す複数の噴射孔２１のうち、第１の噴射孔２１ａと反対側で第２の噴射孔２１ｂに隣り合う第３の噴射孔２１ｃは、第１の角度αでクリーニング材を噴射し、第２の噴射孔２１ｂと反対側で第３の噴射孔２１ｃに隣り合う第４の噴射孔２１ｄは、第２の角度βでクリーニング材を噴射することが望ましい。
【００２７】
本発明のフィルター洗浄装置においては、それぞれの噴射孔が、フィルターの長手方向から見た平面視において、扇状にクリーニング材を噴射し、かつ、隣り合う噴射孔が、フィルターの長手方向に垂直な面に対して異なる角度でクリーニング材を噴射するように構成されている。したがって、隣り合う噴射孔から噴射されるクリーニング材が衝突することを防止することができる。その結果、効率良くフィルターを洗浄することができ、かつ、充分な洗浄効果を得ることができる。
【００２８】
本発明のフィルター洗浄装置において、噴射部が有する噴射孔は、それぞれ、噴射ノズルに設けられていることが望ましい。特に、噴射部が環状パイプを有し、フィルターの外周面と対向する環状パイプの内周面に、噴射孔をそれぞれ有する複数の噴射ノズルが設けられていることが望ましい。環状パイプの形状は特に限定されず、円環状や楕円環状であってもよいし、四角環状等の角環状であってもよい。
【００２９】
本発明のフィルター洗浄装置においては、フィルターの外周面を均一に洗浄することができる限り、噴射孔の形状、数、間隔等は特に限定されず、それぞれ同じであってもよいし、異なっていてもよい。
【００３０】
本発明のフィルター洗浄装置においては、フィルターの長手方向から見たとき、フィルターの外周面の全体にクリーニング材が当たるように、それぞれの噴射孔からクリーニング材が噴射されることが望ましい。上記のとおり、隣り合う噴射孔は異なる角度でクリーニング材を噴射するため、フィルターの長手方向から見たとき、隣り合う噴射孔から噴射されるクリーニング材は重なってもよいし、重ならなくてもよい。
【００３１】
本発明のフィルター洗浄装置において、それぞれの噴射孔から噴射されるクリーニング材の形状は、フィルターの長手方向から見た平面視において扇状であれば特に限定されない。例えば、図４に示すように左右で均等に広がる扇状であってもよいし、左右で不均等に広がる扇状であってもよい。また、それぞれの噴射孔から噴射されるクリーニング材の形状は、噴射孔ごとに異なっていてもよい。
【００３２】
本発明のフィルター洗浄装置において、第１の角度は特に限定されないが、０〜２度であることが望ましく、０〜１度であることがより望ましい。なお、第１の角度が０度以外である場合、図５（ａ）において、フィルターの長手方向に垂直な面に対して上側、下側のどちらに傾いていてもよい。
【００３３】
本発明のフィルター洗浄装置において、第２の角度は第１の角度と異なる限り特に限定されないが、３〜４５度であることが望ましく、５〜３０度であることがより望ましく、８〜１５度であることがさらに望ましい。なお、第２の角度が０度以外である場合、図５（ｂ）において、フィルターの長手方向に垂直な面に対して上側、下側のどちらに傾いていてもよい。
【００３４】
本発明のフィルター洗浄装置においては、第１の噴射孔が第１の角度でクリーニング材を噴射し、第１の噴射孔に隣り合う第２の噴射孔が第２の角度でクリーニング材を噴射する限り、残りの噴射孔から噴射されるクリーニング材の角度は特に限定されないが、隣り合う噴射孔が第１の角度と第２の角度で交互にクリーニング材を噴射することが望ましい。すなわち、第１の噴射孔と反対側で第２の噴射孔に隣り合う第３の噴射孔が第１の角度でクリーニング材を噴射し、第２の噴射孔と反対側で第３の噴射孔に隣り合う第４の噴射孔が第２の角度でクリーニング材を噴射することが望ましい。
【００３５】
本発明のフィルター洗浄装置において、クリーニング材は、水又は洗浄液であることが望ましい。洗浄液としては、例えば、アルコール水溶液等の水溶性溶剤、水又は水溶性溶剤に洗剤を添加したもの、有機溶剤等を用いることができる。
【００３６】
本発明のフィルター洗浄装置により洗浄されるフィルターは、液体等の流体を濾過するものであり、筒状、例えば円筒状に形成されている。本発明のフィルター洗浄装置においては、筒状のフィルターであれば、どのような種類のフィルターも洗浄することができる。筒状のフィルターとしては、例えば、複数積層した金網を焼結して保形性を高め円筒状に成形した焼結メッシュフィルターや、円筒状のノッチワイヤーフィルター、ウェッジワイヤーフィルター等が挙げられる。中でも、本発明のフィルター洗浄装置により洗浄されるフィルターは、外周面にノッチワイヤーが巻き付けられたノッチワイヤーフィルターであることが望ましい。
【００３７】
図６（ａ）は、ノッチワイヤーフィルターの一例を模式的に示す斜視図であり、図６（ｂ）は、図６（ａ）に示すノッチワイヤーフィルターの分解斜視図である。
図６（ａ）に示すノッチワイヤーフィルター１００は、図６（ｂ）に示すように、所定の間隔をあけて配置された上板１０１及び下板１０２と、上板１０１及び下板１０２の間に配置された内筒１０３と、内筒１０３に螺旋状に巻き付けられたノッチワイヤー１０４と、を備えている。
【００３８】
上記の構成を有するフィルター洗浄装置を用いたフィルターの洗浄方法について、以下に説明する。
【００３９】
フィルターＦを載置部１０の載置台１１上に載置し、さらに、押圧板１２によってフィルターＦの端部を押圧してフィルターＦを固定する。扉４１を閉めてフィルターＦを洗浄室４０内に収納した後、噴射部２０からクリーニング材Ｃを噴射し、洗浄を開始する。移動機構３０により、噴射部２０をフィルターＦの長手方向に移動させることにより、フィルターＦの外周面を逐次洗浄する。噴射部２０の移動は、適宜繰り返してもよい。
【００４０】
［第２実施形態］
本発明の第１実施形態では、噴射部は、１本の環状パイプを有するのに対し、本発明の第２実施形態では、噴射部は、複数本の環状パイプを有する。各環状パイプの内周面には、噴射孔をそれぞれ有する複数の噴射ノズルが設けられていることが望ましい。
【００４１】
本発明の第２実施形態において、複数本の環状パイプは、フィルターの長手方向に所定の間隔をあけて配置される。なお、環状パイプの構成は、それぞれ同じであってもよいし、異なっていてもよい。
【００４２】
本発明の第２実施形態に係るフィルター洗浄装置は、本発明の第１実施形態と同様、噴射部をフィルターの長手方向に移動可能な移動機構を備えることが望ましいが、上記移動機構を備えなくてもよい。
【００４３】
その他、本発明の第２実施形態に係るフィルター洗浄装置は、環状パイプの本数が異なることを除いて、本発明の第１実施形態に係るフィルター洗浄装置と共通の構成を有している。
【００４４】
［第３実施形態］
本発明の第１実施形態では、フィルター洗浄装置が、噴射部をフィルターの長手方向に移動可能な移動機構を備えるのに対し、本発明の第３実施形態では、フィルター洗浄装置が、フィルターを上記長手方向に移動可能な移動機構を備える。
【００４５】
本発明の第３実施形態において、噴射部は、環状パイプを有し、フィルターの外周面と対向する環状パイプの内周面には、噴射孔をそれぞれ有する複数の噴射ノズルが設けられていることが望ましい。環状パイプは、１本でもよいし、複数本でもよい。
【００４６】
その他、本発明の第３実施形態に係るフィルター洗浄装置は、フィルターが移動することを除いて、本発明の第１実施形態に係るフィルター洗浄装置と共通の構成を有している。
【００４７】
［その他の実施形態］
本発明のフィルター洗浄装置は、上記実施形態に限定されるものではなく、フィルター洗浄装置の構成等に関し、本発明の範囲内において、種々の応用、変形を加えることが可能である。
【００４８】
例えば、本発明のフィルター洗浄装置は、噴射部をフィルターの長手方向に移動可能な移動機構、及び、フィルターを上記長手方向に移動可能な移動機構の両方を備えてもよい。
【００４９】
本発明のフィルター洗浄装置において、フィルターが載置される向きは特に限定されない。例えば、フィルターは、縦向き、すなわち、フィルターの長手方向が鉛直方向と平行になるように載置されてもよいし、横向き、すなわち、フィルターの長手方向が水平方向と平行になるように載置されてもよい。
【００５０】
本発明のフィルター洗浄装置は、載置部及び噴射部を収納する洗浄室を備えていなくてもよい。また、本発明のフィルター洗浄装置は、油分離槽を備えていなくてもよい。
【００５１】
本発明のフィルター洗浄装置においては、筒状のフィルターを載置することができる限り、載置部の構成は特に限定されない。また、載置部は、フィルターの長手方向の端部を押圧してフィルターを固定する手段を有していなくてもよい。
【００５２】
これまでの実施形態では、第１の噴射孔が第１の角度でクリーニング材を噴射し、第２の噴射孔が第２の角度でクリーニング材を噴射するものであったが、例えば、隣り合う噴射孔から噴射されるクリーニング材の角度が同じであっても、フィルターの長手方向において異なる位置に隣り合う噴射孔が設けられていれば、上記と同様の効果を得ることができる。したがって、以下の構成を有するフィルター洗浄装置もまた、本発明の１つである。
筒状のフィルターを載置するための載置部と、上記フィルターの外周面にクリーニング材を噴射する噴射部と、を備え、上記噴射部は、上記フィルターの長手方向から見た平面視において、上記フィルターの外周面を囲むように環状に配置された複数の噴射孔を有し、上記複数の噴射孔は、それぞれ、上記平面視において、扇状に上記クリーニング材を噴射し、かつ、上記複数の噴射孔のうち、第１の噴射孔は、上記長手方向において、上記フィルターの外周面の第１の位置に上記クリーニング材を噴射し、上記第１の噴射孔に隣り合う第２の噴射孔は、上記長手方向において、上記第１の位置とは異なる上記フィルターの外周面の第２の位置に上記クリーニング材を噴射することを特徴とするフィルター洗浄装置。
【００５３】
これまでの実施形態では、１個のフィルターを洗浄する装置について説明してきたが、本発明のフィルター洗浄装置は、２個以上のフィルターを洗浄する装置であってもよい。この場合、同じ種類のフィルターを洗浄する装置であってもよいし、異なる種類のフィルターを洗浄する装置であってもよい。なお、異なる種類のフィルターを洗浄する構成は、本発明の範囲に含まれない構成であってもよい。
【００５４】
本発明のフィルター洗浄装置が２個以上のフィルターを洗浄する装置である場合、個々のフィルターをそれぞれ収納する洗浄室を備えていてもよいし、複数個のフィルターを収納する洗浄室を備えていてもよいし、全てのフィルターを収納する洗浄室を備えていてもよい。
【符号の説明】
【００５５】
１      フィルター洗浄装置
１０    載置部
１１    載置台
１２    押圧板
１３    操作棒
２０    噴射部
２１    噴射孔
２１ａ  第１の噴射孔
２１ｂ  第２の噴射孔
２１ｃ  第３の噴射孔
２１ｄ  第４の噴射孔
２２    環状パイプ
２３    噴射ノズル
３０    移動機構
４０    洗浄室
４１    扉
５０    油分離槽
１００  ノッチワイヤーフィルター
１０１  上板
１０２  下板
１０３  内筒
１０４  ノッチワイヤー
Ｃ      クリーニング材
Ｆ      フィルター
α      第１の角度
β      第２の角度
【図１】
2019034270.tif 000003
【図２】
2019034270.tif 000004
【図３】
2019034270.tif 000005
【図４】
2019034270.tif 000006
【図５】
2019034270.tif 000007
【図６】
2019034270.tif 000008
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
筒状のフィルターを載置するための載置部と、
前記フィルターの外周面にクリーニング材を噴射する噴射部と、を備え、
前記載置部は、前記フィルターの長手方向の端部を押圧して前記フィルターを固定する手段を有し、
前記噴射部は、前記フィルターの長手方向から見た平面視において、前記フィルターの外周面を囲むように環状に配置された複数の噴射孔を有し、
前記複数の噴射孔は、それぞれ、前記平面視において、扇状に前記クリーニング材を噴射し、かつ、
前記複数の噴射孔のうち、第１の噴射孔は、前記長手方向に垂直な面に対して第１の角度で前記クリーニング材を噴射し、前記第１の噴射孔に隣り合う第２の噴射孔は、前記長手方向に垂直な面に対して前記第１の角度とは異なる第２の角度で前記クリーニング材を噴射することを特徴とするフィルター洗浄装置。
【請求項２】
前記複数の噴射孔のうち、前記第１の噴射孔と反対側で前記第２の噴射孔に隣り合う第３の噴射孔は、前記第１の角度で前記クリーニング材を噴射し、前記第２の噴射孔と反対側で前記第３の噴射孔に隣り合う第４の噴射孔は、前記第２の角度で前記クリーニング材を噴射する請求項１に記載のフィルター洗浄装置。
【請求項３】
前記第１の角度は、０〜２度であり、
前記第２の角度は、３〜４５度である請求項１又は２に記載のフィルター洗浄装置。
【請求項４】
前記噴射部は、環状パイプを有し、
前記フィルターの外周面と対向する前記環状パイプの内周面には、前記噴射孔をそれぞれ有する複数の噴射ノズルが設けられている請求項１〜３のいずれか１項に記載のフィルター洗浄装置。
【請求項５】
前記クリーニング材は、水又は洗浄液である請求項１〜４のいずれか１項に記載のフィルター洗浄装置。
【請求項６】
前記載置部及び前記噴射部を収納する洗浄室をさらに備え、
前記洗浄室内に収納された前記フィルターの外周面に前記クリーニング材が噴射される請求項１〜５のいずれか１項に記載のフィルター洗浄装置。
【請求項７】
前記噴射部を前記長手方向に移動可能な移動機構をさらに備える請求項１〜６のいずれか１項に記載のフィルター洗浄装置。
【請求項８】
前記フィルターは、外周面にノッチワイヤーが巻き付けられたノッチワイヤーフィルターである請求項１〜７のいずれか１項に記載のフィルター洗浄装置。
【請求項９】
筒状のフィルターを載置するための載置部と、
前記フィルターの外周面にクリーニング材を噴射する噴射部と、を備え、
前記載置部は、前記フィルターの長手方向の端部を押圧して前記フィルターを固定する手段を有し、
前記噴射部は、前記フィルターの長手方向から見た平面視において、前記フィルターの外周面を囲むように環状に配置された複数の噴射孔を有し、
前記複数の噴射孔は、それぞれ、前記平面視において、扇状に前記クリーニング材を噴射し、かつ、
前記複数の噴射孔のうち、第１の噴射孔は、前記長手方向において、前記フィルターの外周面の第１の位置に前記クリーニング材を噴射し、前記第１の噴射孔に隣り合う第２の噴射孔は、前記長手方向において、前記第１の位置とは異なる前記フィルターの外周面の第２の位置に前記クリーニング材を噴射することを特徴とするフィルター洗浄装置。